(57)【要約】【課題】  第三者にセキュリティー文書を無制限に複写されてしまう問題があった。【解決手段】  出力物にセキュリティー情報を印字し、原稿台に置かれると、セキュリティー情報をあらかじめ読み取る。そしてそのセキュリティー情報とパスワード認証結果に応じて画像形成装置を制御し、複写動作と原稿台をロックするかしないかを決定する。【選択図】  図１
2011004113.tif 000002
【特許請求の範囲】
【請求項１】
原稿台上に置かれた原稿を読み取る画像読取り部と原稿台を覆う開閉自在の原稿カバーを備える画像読取り装置において、
セキュリティー情報を生成するセキュリティー情報生成手段と
前記原稿カバーを閉状態にロックするロック手段とを有し
原稿上に印字された該セキュリティー情報を読み取る読取り手段と
パスワード認証機能を有し、
前記セキュリティー情報とパスワード認証によって前記ロック手段を制御するロック制御手段と
備えることを特徴とする画像読取り装置。
【請求項２】
原稿台上に置かれた原稿を読み取る画像読取り部と原稿台を覆う開閉自在の原稿カバーを備える画像読取り装置において、
セキュリティー情報を生成するセキュリティー情報生成手段と
前記原稿カバーを閉状態にロックするロック手段とを有し
原稿上に印字された該セキュリティー情報を読み取る読取り手段と
パスワード認証機能を有し、
前記セキュリティー情報とパスワード認証によって前記ロック手段を制御するロック制御手段と
ロック状態の時間に応じて、報知動作を行う報知手段と
原稿を排出する箱を
備えることを特徴とする画像読取り装置。
【請求項３】
パスワードの認証がされなかったときに、原稿台がロックされることを特徴とする請求項１又は請求項２に記載の画像読取り装置。
【請求項４】
前記セキュリティー情報とは、バーコード、二次元シンボル、暗号化されたもしくはされていない文字列、数字、記号、のいずれか一つ以上であることを特徴とする請求項１〜請求項３のいずれかに記載の画像読取り装置。
【発明の詳細な説明】
【技術分野】
【０００１】
本発明は、原稿の画像を読み取る画像読取装置と、この画像読取装置を備えた画像形成装置とに関する。
【背景技術】
【０００２】
従来、画像読取装置は一般的に原稿を読み取るために、原稿を置く原稿台と、原稿台の上に置かれた原稿を読み取る画像読取り部、原稿台の上に置かれた原稿を読み取る際に、外部光を遮光し、原稿を押圧する目的で、原稿台の一辺を枢軸として開閉自在に原稿台を覆う原稿カバーを備えている。画像読取り装置は、単体で使用される場合とファクシミリ、プリンター、複写機及びそれらの複合機に組み込んで使用する場合があり、画像読取り装置の画像読取り部によって得られた画像を、シート状の記録担体へ、印刷出力もしくは、ネットワークに接続された端末へ外部出力するように図られるようになってきている。
【０００３】
このような画像読取り装置では、原稿台の上の原稿を、第三者によって持ち去られたり、捨てられたりされ、原稿の紛失や原稿に記載された内容を第三者へ漏洩するおそれを招く。また画像読取り装置がネットワークに接続されているとき、原稿台に原稿を置き、端末から画像読取り装置に読取り指示を出す場合、画像読取り指示を出すまでの間に、原稿台の前に自分がいないことが考えれ、第三者に原稿台から原稿を取り除かれるおそれがある。やはり、原稿の紛失や原稿に記載された内容を第三者へ漏洩するおそれを招く。
【０００４】
また自分のデスク等からセキュリティー保護したい文書を第三者に持ち去られ、勝手に複写されるおそれがある。この場合、複写を無制限に繰り返されて、甚大な情報漏洩となる可能性がある。
【０００５】
前記従来の問題点を解決するものとして、
特許文献１記載のものでは、画像読取り装置において、原稿台を覆う原稿カバーを閉じた状態に保持する鍵をもたせるものである。
【０００６】
特許文献２記載のものでは、ユーザーごとにパスワードを持たせ、パスワードの認証によって、原稿カバーをロックし、原稿の読取り動作が終了し、再び、パスワードの認証によって原稿カバーのロックを解除する動作を行わせるものである。
【０００７】
特許文献３記載のものでは、複数のユーザーを個別に識別する無線タグとそのタグを管理し、ユーザーが原稿台の近くにいる場合、無線タグからの信号を検出し、原稿台をロックしない。またユーザーが原稿台の近くにいない場合、無線タグからの信号を検出せず、原稿台をロックするものである。
【先行技術文献】
【特許文献】
【０００８】
【特許文献１】特開２００１−３３８９５号公報
【特許文献２】特開平１０−１２４６４５号公報
【特許文献３】特開２００５−０８４４４０号公報
【発明の概要】
【発明が解決しようとする課題】
【０００９】
しかしながら前記の従来の画像形成装置においては以下の問題点を有している。
【００１０】
特開2001-33895号記載のものに関し、原稿カバーのロック及びロック解除作業を毎回ユーザー自身が行うことになり、ロック動作が煩雑になりやすく、ユーザービリティーに欠けるという問題点がある。
【００１１】
特開平7-125391号記載のものに関し、多数枚の原稿の読取り操作が必要な場合、ユーザーに割り当てられたパスワードを原稿カバーの開閉のたびに入力しなくてはならず、やはりユーザービリティーに欠ける。また原稿カバーがロックしたまま、放置されていまうと、パスワードを知らない第三者が原稿カバーをあけられず、画像読取り装置を使用できないという問題点がある。
【００１２】
特開2005-246920号記載のものに関し、登録されたユーザーであれば、原稿カバーは自由に開閉でき、その第三者に原稿を無制限に画像が読み取られることを意味し、原稿の所有者自身が原稿の内容の漏洩を防ぎたいという要望には応えられない。またユーザーごとに原稿カバーの開閉を許可しているのみで、原稿ごと、文書ごとに原稿カバーのロック及びロック解除動作をユーザーが決定できないという問題がある。
【００１３】
従って、本発明の目的は、前記の従来装置におけるロック機能を備えた画像読取り装置の問題点を克服し、画像読取り装置においてロック及びロック解除動作、印刷出力を原稿ごと、ジョブごと、ユーザーごとに適切に行うことのできる、使い勝手のよい画像読取り装置を提供することを目的とする。
【課題を解決するための手段】
【００１４】
本発明は上述の課題を解決することを目的としてなされたもので、上述の課題を解決する一手段として以下の構成を備える。
【００１５】
本発明の画像形成装置は、カバーによって原稿を置く面が開閉される原稿台の前記原稿を置く面置かれた前記カバーを閉じる状態を保持するロック機能を有している。またセキュリティー情報の埋め込まれたセキュリティー情報生成部を有し、その情報を文書に印字し、原稿台上でそのセキュリティー情報を読み取り、埋め込まれたセキュリティー情報によってユーザーの求める動作を行い、原稿台をロックするかしないかを判断する。
【００１６】
ユーザーの求める動作とは、原稿の複写中に原稿台をロックするかしないか、パスワードのレベルをユーザー単位かジョブ単位か文書単位か決めるものである。入力を第三者によって文書が持ち去られた場合、そのセキュリティー情報によって、パスワードの入力が求められた場合、そのパスワードが間違っているときには、原稿台をロックし、機密漏えい等の発生を確実に防ぐことができる。
【発明の効果】
【００１７】
本発明によれば、原稿台上に置かれた原稿を読み取る画像読取り部と原稿台を覆う開閉自在の原稿カバーを備える画像読取り装置において、セキュリティー情報を生成するセキュリティー情報生成手段と前記原稿カバーを閉状態にロックするロック手段とを有し原稿上に印字された該セキュリティー情報を読み取る読取り手段と前記セキュリティー情報により前記ロック手段を制御するロック制御手段を備えている。
【００１８】
本発明においては、ユーザーはあらかじめ、セキュリティー保護や第三者に対して、原稿および原稿の複写物の発生を制限もしくは保護したい場合、文書の内容とともにセキュリティー情報を文書に印字する。
【００１９】
セキュリティー情報の印字した文書を複写する際に、ユーザーが原稿台上に原稿を置いた際、セキュリティー情報をプレスキャンし、原稿に埋め込まれているセキュリティー情報内容を読み込む。
【００２０】
そして複写を許可するかどうかを判定するため、パスワードの入力を求める。
【００２１】
複写動作に関する情報と主にユーザー単位、複写ジョブ単位、文書単位で決めたパスワード情報が埋め込まれている。原稿台に文書が置かれると、原稿読み取り部は、プレ読み取り動作をし、セキュリティー情報を読み取る。パスワード認証が間違っている場合、原稿台をロックし、パスワードがあっている場合原稿台はロックしない。
【００２２】
パスワードとはユーザー単位で決められるもの、文書単位で決められるもの、複写ジョブ単位で決められるものがる。つまりセキュリティー情報にはまず、どのセキュリティーレベルのパスワードが設定されているかセキュリティー情報を読み込んで、判断する。ユーザー単位で決めたものであれば、ユーザーとパスワードの記載されたリストを参照し、パスワードの認証を行う。そのリストは、画像形成装置本体の記憶部やネットワーク上のプリントサーバーでもよい。ユーザーの決めたパスワードを入力できれば、原稿台はロックしない。
【００２３】
文書単位で決めたものであれ、印字されたセキュリティー情報に変換されたパスワードと入力されたパスワードが一致した場合、原稿台をロックしない。ユーザー単位で決めたパスワードでは原稿台はロックし、文書一枚一枚に対して、パスワードを設定できるため。よりセキュリティーレベルの高いものとできる。また文書単位ではなく、パスワードはジョブ単位で共通のパスワードを設定してもよく、柔軟性をもっている。
【００２４】
つまりたとえばプレゼンテーション資料など２枚以上からなる１セットの文書セットを出力した際に、はじめのページにパスワード入力を求め、それ以降は、文書ごとに印字されたセキュリティー情報からパスワードの認証を省略するものである。
【００２５】
つまりはじめの文書にパスワードを埋め込み、2枚目以降は、1枚目との連続性があるかどうかを確認する。
【００２６】
またセキュリティー情報には、プレスキャン時に常に原稿台をロックするかしないかに関する情報を埋め込むことができる。そのため、原稿台に置かれ、プレスキャンされた時点で、原稿台がロックし、セキュリティーレベルを上げることができる。
【００２７】
セキュリティー情報とは、暗号化した文字列、数字、記号、マーク、バーコード、電子透かし、コピーの際に顕在化する地紋の少なくとも一つである。
【図面の簡単な説明】
【００２８】
【図１】本発明の画像形成装置の実施例１を示すディジタルプリント部のシステム構成図
【図２】本実施形態の第一実施形態における画像読取り装置の外観斜視図を示す
【図３】本実施形態に係るＭＦＰ(１Ｄ系)の断面図である
【図４】本実施形態の第一実施形態におけるフローチャートである
【図５】本実施形態の第一実施形態における入力画面である
【図６】本実施形態の第一実施形態におけるセキュリティー情報である
【図７】本実施形態の第二実施形態におけるセキュリティー情報である
【図８】本実施形態の第二実施形態におけるセキュリティー情報である
【図９】本実施形態の第二実施形態におけるセキュリティー情報である
【図１０】本実施形態の第一実施形態及びの第二実施形態におけるにおける入力画面である
【図１１】本実施形態の第一実施形態における入力画面である
【図１２】本実施形態の第二実施形態におけるフローチャートである
【図１３】本実施形態の第二実施形態における入力画面である
【発明を実施するための形態】
【００２９】
（第１の実施の形態）
装置構成概略
以下、本発明の実施の形態を説明する。画像形成装置を用いて説明を行う。画像形成装置は電子写真方式で説明を行うが、制御の特徴的な点、特に請求項で記載した事項は、原稿台を有する画像形成装置においても上記請求項は特許の請求の範囲内と主張する。
【００３０】
図１はディジタルプリント部のシステム構成図であり、ディジタルプリント部の構成の一例を示すブロック図である。
【００３１】
ここには、ネットワークに接続されたプリントサーバー1001、クライアントPC1002、カラーＭＦＰ1004（Ｍｕｌｔｉ  Ｆｕｎｃｔｉｏｎ  Ｐｒｉｎｔｅｒ：マルチファンクションプリンタ）及び白黒ＭＦＰ1003がそれぞれ１つまたは複数個存在している。
【００３２】
プリントサーバー1001は、２つの役割を持っている。１つ目はディジタルプリント部の外部と情報の送受信であり、入稿されるジョブの画像情報や設定情報などは、まずプリントサーバーに入力され、そのジョブが終了するとステータスなどの情報を外部に知らせる役割を持っている。もう１つはディジタルプリント部内部の管理制御であり、外部から入力されたジョブ及び、ディジタルプリント部の内部で発生したジョブは、プリントサーバーにて一元管理されており、ディジタルプリント部の内部にある全てのデバイスと全てのジョブの状況が監視できると共に、ジョブの一時停止、設定変更、印刷再開あるいは、ジョブの複製、移動、削除などの制御が行えるようになっている。
【００３３】
クライアントPC1002は、ユーザーが扱うPC（パーソナルコンピュータ）を指し、入力されたアプリケーションファイルの編集、印刷指示、あるいは、プリントレディファイルの投入の役割と、プリントサーバー内で管理されているデバイスやジョブの監視や制御の補佐する役割を持っている。なおクライアントPC1002としては、プリンターへ印刷JOBを送信できるような電子機器（たとえば、FAXやスキャナー）も含まれることは当然である。
【００３４】
カラーＭＦＰ1004及び白黒ＭＦＰ1003は、スキャン、プリント、コピーなど様々な機能を有する画像形成装置であり、カラーＭＦＰ1004と白黒ＭＦＰ1003とでスピードやコストなどが異なるため、それぞれの用途に応じて使い分ける必要がある。
【００３５】
図２に示す画像読取装置１０は、一般にスキャナと呼ばれており、図２に示すように単体で使用される場合や、図３に示すように画像形成装置である複写機３０の画像読取部として使用される場合がある。
【００３６】
なお、本実施形態の画像読取装置１０は、複写機のみならず、プリンタ、ファクシミリ及び、これらの複合機器等に組み込んで使用することができ、組み込まれる画像形成装置が複写機にのみ、限定されるものではない。
【００３７】
画像読み取り装置１０は、原稿が置かれるガラス製の原稿台１１、原稿台１１に置かれた原稿を上から押圧       する開閉可能なカバー１２、原稿の画像面を照射する光源１３、原稿の画像面からの反射光を導く複数のミラー１４、１４およびレンズ１５、そして反射光をＣＣＤにより光電変換を行い、得られた電気信号に対して各種の画像処理を行う機能を有する光電変換部である画像処理部１６等を主要部品として構成されている。画像処理部１６は、図示しないＣＣＤ、Ａ／Ｄ変換、Ｓ／Ｈ、シェーディング補正、マスキング補正、変倍、ＬＯＧ編倍等の画像処理機能を有している。また画像処理部１６は、通信ケーブル１９によってネットワークに接続し、ネットワークケーブル１９を通じて、情報の送信、受信や読み取った画像情報を他の装置に送信したりすることができるようになっている。
【００３８】
なお、通信ケーブル１９は、画像読み取り装置１０を制御する制御回路２０にも接続されている。制御回路２０は、ネットワークケーブル１９を通じて原稿読み取り信号が入力された場合、画像読み取り装置１０に画像の読み取りを開始させるようになっている。
【００３９】
また原稿カバーのロックとロック解除を制御するロック制御手段を備えている。
【００４０】
図４は本実施形態のフローを示す。
【００４１】
ユーザーはまず、セキュリティー情報をあらかじめ、文書に印字するよう出力要求をする。
【００４２】
埋め込むセキュリティー情報には主に以下の情報を埋め込む。
【００４３】
１．原稿物にどのセキュリティーレベルでパスワードを設定するか。
について情報を埋め込む。
【００４４】
１．に関して
パスワード設定には2種類ある。いずれにおいてもパスワードを入力する、
（１）ユーザー認証型パスワード
原稿物に対して、本実施例では図5に示すようなユーザーごとに決めたパスワードによる認証でユーザー名とユーザーの決めたパスワードが認証されれば、原稿物の複写を許可する。一方で、パスワードの認証が3回連続で間違っていた場合、原稿台はロックし、原稿台に置かれた原稿を振れられないようにする。なおパスワードの許容認証回数を1回でもよいし、5回でもよい。その許容回数は文書に印字されているセキュリティー情報に埋め込んでもよい。その数字にあまり意味はなく、パスワードの認証の結果によって原稿台をロックするかしないかを決定する。なお図5に示すものは、画像形成装置の表示部でもよいし、ユーザーのクライアントPC上に表示してもよい。
【００４５】
（２）文書管理型パスワード
一枚一枚の原稿物に対して、パスワードが設定できるようにした形態である。あらかじめユーザーは出力する際に、ユーザーパスワードではなく、特定の出力物に対してパスワードを設定できる。
【００４６】
そのため、ユーザーパスワードよりも文書ごとにパスワードの設定ができるため、セキュリティーレベルを高める効果がある。文書にもセキュリティーレベルがあり、ユーザーパスワードを万が一知っている第三者に原稿物を持ち去られ、複写しようとしても、ユーザーパスワードでは、複写動作を行わない。またパスワードの認証失敗は原稿を本来もっていないはずの人物の手に原稿があるとし、パスワードの認証失敗は原稿の盗難と判断し、原稿台をロックする。そのような動作を行うことで、原稿に手をふれさせないようにし、原稿の保護を行うことができる。
【００４７】
パスワードの認証が3回連続で間違っていた場合、原稿台はロックし、原稿台に置かれた原稿を振れられないようにする。なおパスワードの許容認証回数を1回でもよいし、5回でもよい。
【００４８】
先ず、ユーザーは、画像読取装置１０が、他のコンピュータに使用されていないか否かを確認し、原稿台１１上に画像面が下方を向くように原稿を載置し、その上から原稿をカバー１２１２で押さえると、光源が原稿の画像面を走査し、セキュリティー情報を読み取る。
【００４９】
そして鍵１８を自動的にかけ、カバー１２を開くことができないようなる。一方原稿台をその後、ユーザーは、画像形成装置上の操作部もしくは自分が使用しているコンピュータに戻り、遠隔操作によって、制御回路２０に原稿読取開始信号を送信する。
【００５０】
そして、ユーザー認証型もしくは文書管理型のパスワードを入力する。
【００５１】
図４は、ユーザーがパスワードを入力するユーザーインターフェイスである。
【００５２】
原稿のプレスキャンが行われると、図５のような表示部にてユーザー名とパスワードの入力を求める。
【００５３】
認証を終了すると、光源１３は、光を照射しながら矢印Ｋｌ方向に移動し、原稿の画像面を走査する。画像面からの反射光像は、複数のミラー１４及びレンズ１５を介して、ＣＣＤ上に結像され、ここで電気信号に光電変換される。
【００５４】
電気信号となった画像信号は、画像読取装置１０を単独で使用している場合には、通信ケーブル１９によってコンピュータネットワークに送信される。画像読取装置１０が図２に示すように画像読取部として使用されている場合には、画像処理部１６において、種々の画像処理が施された後、画像形成装置である複写機３０の画像形成部３１に伝達される。
【００５５】
ユーザーは、再度、画像読取り装置前にいない場合、画像読取装置１０に移動し、パスワードを入力し、鍵１８を明けて、カバー１２を開き、原稿を取り除く。
【００５６】
たびかさなるパスワード入力は、文書ごとにパスワードを設定した場合に発生する。しかしながら、文書ごとにパスワードを設定する場合は、その文書自体が貴重なものであると考えられ、その複写動作を行うことには慎重をきす必要性が高いと思われる。そのため、たびかさなる文書コピーの際は、パスワード入力が必要と思われる。
【００５７】
たびかさなる文書コピーを回避するには、ジョブ単位でのセキュリティー情報を付加するか、ユーザー単位での情報付加とすればよい。
【００５８】
従って、セキュリティー情報により画像読取装置１０の読取動作中は、カバー１２が施錠されて、開くことができないようになっているため、他のユーザーが不用意にカバー１２を開くことができなくなり、原稿の紛失、記載内容の秘密の漏洩を防止することができる。また、原稿を確実に読み取ることができる。さらに、施錠してあることによって、画像読取装置１０が画像読取中であるか否かを簡単に識別することができ、使用上の煩わしさを解消することができる。
【００５９】
次に、画像形成装置の画像形成部３１を説明する。
【００６０】
画像形成部３１は、画像読取装置１０１より送られてくる電気信号を、レーザを駆動するための信号に変換する画像制御部３２、レーザ素子３３、後述する感光ドラム３４の表面をレーザ光によって走査するポリゴンスキャナ３５、及び後述する感光ドラム３４を含む画像形成手段３６、そして最下流側に配設された定着ユニット３７等を主要部品として構成されている。
【００６１】
また、上述の画像形成手段３６は、矢印方向に回転自在に支持された感光ドラム３４、その周辺にその回転方向に沿ってほぼ順に配設された、感光ドラム３４の表面を一様に帯電する１次帯電器３８、感光ドラム３４上の静電潜像を現像する現像器３９、感光ドラム３４上のトナー像を転写紙Ｐに転写する転写帯電器４０、感光ドラム３４に付着した転写残トナーを除去するクリーナ４１、除電を行う補助帯電器４２、そして残留電荷を除去する前露光ランプ４３等を主要部品として構成されている。
【００６２】
いずれかのシート供給カセット５０，５１から供給されたシートＰは、搬送ローラ対５２，５３を備えたシート搬送路５４により搬送され、さらにレジストローラ対５５に搬送され、現像器３９によって顕像化された感光ドラム３４上のトナー像とタイミングを合わせて転写帯電器４０の上へ送り込まれる。トナー像を転写されたシートＰは、感光ドラム２０から分離された後、搬送部４４で搬送され、定着器ユニット３７へ送り込まれる。そして定着ユニット３７でトナー像を定着されたシートＰは、シート排出トレイ４５上へ排出されて順次積載される。シートには、普通紙、普通紙の代用品である厚みの薄い樹脂製のシート、葉書、ボール紙、封書、プラスチック製の薄板等がある。
【００６３】
また表示部56は画像形成装置の操作部かつディスプレイであり、操作者からのコマンド入力や、操作者への装置の状態報知等が行われる。
【００６４】
ベルト、ローラ等を用いて、排出手段により原稿台上の原稿を原稿台上から排出することができるようにし、この排出手段により排出される原稿を収容保持する専用の原稿排出ボックスとを備える。原稿カバーのロックが所定時間を超えて継続されたとき、原稿台上の原稿が置き忘れられたと判断できるとき、ロック制御手段が排出手段を動作させ、原稿台上の原稿を原稿排出ボックス57内に送り出し、原稿カバーのロックを解除し、他のユーザーによる原稿台の使用に滞りがないようにする。原稿排出ボックスを鍵付きのボックスとすることにより、排出された原稿の機密を保持することができる。原稿排出ボックスは、例えば、特定の管理者によるキー操作、管理者パスワード等、限定された操作により鍵開けされるように構成すればよい。なお原稿台に置かれてから、原稿を原稿台に忘れたと見なす時間は、本実施例では複写終了から1分とした。なおこの時間よりも長くても短くてもよい。
【００６５】
また原稿の置き忘れと判断され、原稿排出ボックスに原稿が排出される前に、画像形成装置の表示部56に原稿台上に原稿があることを報知する動作を行い、置き忘れがなきよう原稿の回収をユーザーに促す。ユーザーへの報知としては、ユーザー名と「原稿台に原稿があります」との報知を行う。また複写動作からある一定時間後ではユーザーが原稿を取り忘れたと判断し、ユーザー名と「原稿台に原稿があります。原稿を取り除いてください」との報知を行い、ユーザーに取り除くことを促す。それ以上に一定時間後は、「あと何分で原稿が原稿排出ボックスに排出されます」との報知を行う。その際、ビープなどの音とともに動作することが望ましい。
【００６６】
なお報知動作を行うのは、原稿排出ボックスに原稿が排出される時間よりも1分短い1分とした。
【００６７】
セキュリティー情報に関して、図6、図7を用いて説明する。
【００６８】
本実施例でいうセキュリティー情報とは、バーコード、二次元シンボル、暗号化されたもしくはされていない文字列、数字、記号、のいずれか一つ以上である。
【００６９】
バーコードシンボル（日本工業規格（JIS  X  0500において光学的反射率の高い部部と低い部分との組み合わせで、情報を表示し、機械読取り可能とした情報担体の総称であり、1次元シンボル及び2次元シンボルが含まれると定義されている。）にユーザー情報やパスワード情報を埋め込ませることができる。
【００７０】
セキュリティー情報には、1次元バーコードであれば、図6では、先頭の数字がユーザーID、その後数字がパスワードである。図7であっても同様であり、先頭の文字がユーザーID、その後数字がパスワードである。
【００７１】
ここでの文字、数字ではなく、記号や漢字等でもよい。
【００７２】
このようなセキュリティー情報を文書の出力依頼の際に付加するようにする。本実施例では図８のようにセキュリティー情報付加にチェックを入れると、図９のような入力画面となり、バーコードシンボルの種類、どのような情報を入れるかが決められる。ここでは、図6に示すような1次元バーコードか図7に示すような2次元バーコードかを選択できる。
【００７３】
また付加情報をユーザー単位を選べば、ユーザー登録されているパスワードをセキュリティー情報に入れる。ユーザー登録は、プリントサーバーのリストに記載されている。もしくは、画像形成装置の図示しない記憶部に保存しておいてもよい。
【００７４】
そして文書中のセキュリティー情報の印字する位置を決定し、出力を行う。
【００７５】
前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００７６】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００７７】
(第２の実施の形態)
本発明に係る第２実施形態について説明する。第２実施形態における画像形成装置の構成は、上述した第１実施形態で示した図1、２、３と同様であるため、説明を省略する。
【００７８】
第２実施形態においては、セキュリティー情報にパスワードの入力前に原稿台のロックをするかしないかを決定できるものである。
【００７９】
原稿の複写中に原稿台がロックするかいなかをセキュリティー情報に埋め込むことで、文書のセキュリティーレベルをユーザーが選択できる。すなわち、原稿の複写中に画像形成装置を離れたり、原稿台上から持ち去られたくない場合は、原稿台をロックする設定とすればよい。
【００８０】
また連続して複写する場合などパスワードの入力がたびたびなることで、ユーザービリティーを損なうことがある。そのため、複写中でも原稿台をロックしないように、セキュリティー情報に埋め込む。
【００８１】
つまりセキュリティー情報には、1次元バーコードであれば、図10に示すように先頭の文字列が0であれば、ロックしないと判断し、1であれば、ロックするとすればよい。図10では、先頭の数字がロックするかしないかを判断し、スペースに挟まれた文字がユーザーID、その後文字がパスワードである。図11であっても同様であり、先頭の文字がロックするかしないかを判断し、スペースに挟まれた文字がユーザーID、その後文字がパスワードである。
【００８２】
図12に示すようなフローをたどる。
【００８３】
本実施例では図10のようにセキュリティー情報付加にチェックを入れると、図13に示すように複写中に原稿台をロックするかをセキュリティー情報に付加するかを選択できる。
【００８４】
そしてこのチェックが入ると、原稿を読み込んで自動的に原稿カバーに閉状態でロックがかかるようセキュリティー情報に埋め込まれる。
【図１】
2011004113.tif 000003
【図２】
2011004113.tif 000004
【図３】
2011004113.tif 000005
【図４】
2011004113.tif 000006
【図５】
2011004113.tif 000007
【図６】
2011004113.tif 000008
【図７】
2011004113.tif 000009
【図８】
2011004113.tif 000010
【図９】
2011004113.tif 000011
【図１０】
2011004113.tif 000012
【図１１】
2011004113.tif 000013
【図１２】
2011004113.tif 000014
【図１３】
2011004113.tif 000015